(57)【要約】【課題】自分の顔を確実に撮影画角内に収めることができるカメラを提供すること。【解決手段】ＡＦ装置の上部に視認窓を設けて標識となる光をその視認窓を透して視認させる。その視認窓を横長の形状にして、その横長の長い方の長さを、横方向について撮影画角の５０％から９０％に相当する大きさにする。さらにその横長の視認窓をＡＦ装置の上部に設けて、撮影画角の中央より上の位置に標識が現れるようにする。【選択図】　　図１
2004102166.tif 000002
【特許請求の範囲】
【請求項１】
撮影操作に応じて撮影画角内の被写体の写真撮影を行なうカメラにおいて、標識と、自己撮影時に、前記標識を視認窓を透して視認させる光路規制部材とを備え、
前記視認窓は、自己撮影時に、被写体が横方向について撮影画角よりも小さな角度内に存在するときのみ前記標識が該被写体から視認される大きさの横長のものであることを特徴とするカメラ。
【請求項２】
前記視認窓は、横方向について、自己撮影時に、前記標識が該視認窓を透して、被写体の両眼のうちのいずれか一方の眼で視認されるときに該被写体の顔全体が撮影画角内に入る大きさの横長のものであることを特徴とする請求項１記載のカメラ。
【請求項３】
前記視認窓は、上下方向について被写体の目が撮影画角の中央よりも上にあるときに前記標識が該被写体から最も見やすい位置に設けられたものであることを特徴とする請求項１記載のカメラ。
【請求項４】
覗くことにより撮影画角を視認するためのファインダ及び／又は被写体までの距離を測定するための投受光部を有するオートフォーカス装置を備え、前記視認窓はファインダ対物窓及び／又はオートフォーカス装置の受光窓よりも上に位置するものであることを特徴とする請求項１記載のカメラ。
【請求項５】
前記標識は、発光ダイオードからなるものであり、撮影画角内の被写体の位置が、前記視認窓の中の該発光ダイオードの発光位置により視認されるものであることを特徴とする請求項１記載のカメラ。
【請求項６】
前記視認窓は、横方向の両端部に、発光ダイオードから照射された光の反射を防止する反射防止手段を有するものであることを特徴とする請求項５記載のカメラ。
【発明の詳細な説明】
【０００１】
【発明の属する技術分野】
本発明は、自己撮影のための機能を備えたカメラに関する。
【０００２】
【従来の技術】
撮影者の中にはカメラを自分に向けて自分でレリーズ操作を行なって撮影を行なう、いわゆる自己撮影を行なう人もいる。カメラの中には、自己撮影が行なわれることも想定して自己撮影用のアシスト機能を付加したカメラもある。このアシスト機能とは自分自身が画角内に入っているか否かを撮影者に確認させるものであり、たとえばカメラボディ前面に視認窓を設けて、撮影者がその視認窓を透して標識を視認することができたら、撮影画角内に撮影者自らの位置が在ることを知るといったものである（たとえば特許文献１）。
【０００３】
しかし、特許文献１のカメラでは、自己撮影時に自分が画角内に入っているか画角から外れているかはわかるが、自分自身が画角内のどの位置に撮影されるかまではわからない。そこで、特願２００１−２８４３０６号では画角内のどの位置に自分自身が在るかがわかるようなカメラが提案されている。
【０００４】
また、カメラボディ表面にミラーを配設して、そのミラーに映った自分の姿が視認される１にあるときに、その位置にある自分にピントが調整されるようにオートフォーカスが作用するカメラも提案されている（特許文献２）。
【０００５】
【特許文献１】
特開平２０００−１４７６３１号公報
【特許文献２】
特開平１１−３０５２９３号公報
【０００６】
【発明が解決しようとする課題】
しかし、特願２００１―２８４３０６号のカメラでは、撮影画角の端部に自分の位置が在ることを、視認窓の中の標識を視認することにより確認したにも拘わらず、自分の顔全体が撮影されずに、自分の顔の一部が欠けた状態で撮影されてしまうといったことが起こることがある。
【０００７】
また、特許文献２でも、ピントは合うとしても自分の顔の一部が欠けた写真になってしまう可能を避けられない。
【０００８】
本発明は、上記事情に鑑み、自己撮撮影時に自分の顔を確実に撮影画角内に収めることができるカメラを提供することを目的とする。
【０００９】
【課題を解決するための手段】
上記目的を達成するための本発明のカメラは、撮影操作に応じて撮影画角内の被写体の写真撮影を行なうカメラにおいて、標識と、自己撮影時に、前記標識を視認窓を透して視認させる光路規制部材とを備え、
前記視認窓は、自己撮影時に、被写体が横方向について撮影画角よりも小さな角度内に存在するときのみ前記標識が該被写体から視認される大きさの横長のものであることを特徴とする。
【００１０】
いままでは自分の顔の一部が欠けて撮影される位置にあっても標識が視認されるといったことが起きていたが、上記カメラによれば、上記視認窓で、横方向について撮影画角よりも小さな角度内に自分が存在するときのみ、上記標識が視認され、その標識が視認されたときには確実に撮影画角内に自分の顔が収まる。
【００１１】
ここで、前記視認窓は、横方向について、自己撮影時に、前記標識が該視認窓を透して、被写体の両眼のうちのいずれか一方の眼で視認されるときに該被写体の顔全体が撮影画角内に入る大きさの横長のものであることが好ましい。
【００１２】
そうすると、視認窓の端部に標識があるときに被写体の両眼のうちの一方の眼でその標識が視認されたとしても、撮影画角内に被写体の顔全体が確実に入る。
【００１３】
また、上記視認窓は、上下方向について被写体の目が撮影画角の中央よりも上にあるときに上記標識が該被写体から視認される位置に設けられたものであることが好ましい。
【００１４】
このように上記視認窓が、上下方向について被写体の目が撮影画角の中央よりも上にあるときに上記標識が視認される位置に設けられていると、目線で標識が視認され、撮影画角内の上方に顔を位置させることができる。
【００１５】
また、覗くことにより撮影画角を視認するためのファインダ及び／又は被写体までの距離を測定するための受光部を有するオートフォーカス装置を備え、前記視認窓はファインダ対物窓及び／又はオートフォーカス装置の受光窓よりも上に位置するものであることが好ましい。
【００１６】
このように撮影画角が視認されるファインダ及び／又は、撮影画角の中央に位置する主要被写体までの距離が測定されるオートフォーカス装置の上部に視認窓を設けると、視認窓の位置と撮影画角との位置関係が明確になり、撮影画角内の自分の位置を標識により正確に示すことができる。
【００１７】
また上記標識は、発光ダイオードからなるものであり、撮影画角内の自分の位置が、上記視認窓の中のその発光ダイオードの発光位置により視認されるものであることが好ましい。
【００１８】
そうするといままのようにミラーを設けて自分の顔を視認させなくても、視認窓の中の発光ダイオードの発光位置を視認させるだけで良いので、今までに比べて部品点数が減るばかりでなく構造が簡単になる。
【００１９】
さらに視認窓の両端部で発光ダイオードから照射された光が反射され、その反射した光が撮影者によって視認される範囲内に侵入してゴーストが発生する恐れがあるので、その視認窓の両端部で光が反射したとしてもその反射した光が被写体から視認される範囲に侵入しない構造、たとえば視認窓の両端部に発光素子から被写体側に向かう方向に沿って拡がりを持つようなテーパ構造を設けることが好ましい。また、反射防止手段としては、そのようなテーパ構造を設ける代わりに視認窓の横方向の両端部に反射防止塗料の塗布等、反射防止処理が施されたものであっても良い。
【００２０】
【発明の実施の形態】
以下、本発明の実施形態について説明する。
【００２１】
まず、本発明のカメラの実施形態を説明する。
【００２２】
図１は、本実施形態のカメラ１００を示す斜視図である。
【００２３】
図１に示すように撮影レンズ１０１上方には、ＡＦ装置１０２の投光窓１０２ａおよび受光窓１０２ｂとファインダの対物窓１０３が備えられている。さらにファインダ１０３の隣には閃光発光部１０４も備えられている。
【００２４】
撮影レンズ１０１が被写体に向けられて、撮影を行なうときにはレリーズ釦が押下されるがこのカメラには二つのレリーズ釦１１０ａ，１１０ｂが備えられている。このカメラには図示はしないが背面に表示画面や十字キーといった操作部が備えられており、その操作部で二つのレリーズ釦１１０ａ，１１０ｂのうちいずれか、あるいは双方のレリーズ釦を使用可能な状態に設定することができるようになっている。
【００２５】
またこのカメラ１００の上部には二つのレリーズ釦１１０ａ，１１０ｂのほかに自己撮りモードスイッチ１２０が設けられており、その自己撮りモードスイッチ１２０が自己撮り側に切り替えられると、自己撮り撮影を行なうことができる。この自己撮り撮影が行なわれるときには被写体となる自分が撮影画角内のどの位置に在るかがＡＦ装置１０２の受光窓１０２ｂ上部に在る視認窓１３０を透して視認される光によって確認されるようになっている。なお自己撮りモードのときには無条件に双方のレリーズ釦１１０ａ，１１０ｂとも使用可能な状態になる。
【００２６】
図２は視認窓の構成を示す断面図である。
【００２７】
図２（ａ）はＡＦ装置１０２の受光窓１０２ｂ上部に設けられた視認窓１３０の断面を示す図であり、図２（ｂ）はその視認窓１３０に設けられたテーパ部１３０ａ，１３０ｂを示す図である。
【００２８】
図２（ａ）に示すようにＡＦ装置１０２の受光部１０２ｂの上部にある視認窓１３０はカメラボディを貫通しており、その視認窓１３０を通してカメラ内部から外部へ光が照射される位置に発光ダイオード（以下、ＬＥＤという）１３１が配備されている。そのＬＥＤ１３１から視認窓１３０までの間にはスペースがあり、そのスペースを介して視認窓に向けてＬＥＤ１３１から指向性のある光が照射される。このように照射される光に指向性の在るＬＥＤ１３１と、視認窓１３０と、視認窓１３０の位置が規制されるＡＦ装置１０２とが本発明にいう光路規制部材に当たる。
【００２９】
この光路規制部材の一部を構成するＡＦ装置１０２では撮影画角内の主要被写体までの測距が行なわれており、撮影画角内の主要被写体が常に睨まれている。一般にカメラにこのようなＡＦ装置１０２を設けるときには、たとえば撮影画角の中央付近に向けて光が投光されるようにＡＦ装置１０２の投光部１０２ａが設置され、その投光部１０２ａから投光された光が被写体に当たって戻ってくる光を受光する受光部１０２ｂが投光部１０２ａの隣に設置されることが多い。本実施形態のカメラ１００では視認窓１３０をＡＦ装置１０２の受光部１０２ａの上部に設けることによって視認窓を通して視認される標識が撮影画角内の中央より上の位置に現れるようにしている。またＬＥＤからの光が直に撮影者により視認される他、視認窓の横方向の端部によって反射した光が撮影者により視認されないように、図２（ｂ）に示すように視認窓１３０の両端部にテーパを設けてある。本実施形態のカメラではテーパを設けたが、本発明はこれに拠らず反射防止塗料を両端部に塗布しても良い。このようにすると、その視認窓１３０の右もしくは左の端面に光のゴーストが見えるといった事態が回避される。
【００３０】
このようにして配置された視認窓１３０の大きさと撮影画角とがどのように関わるかを、図３を参照して説明する。
【００３１】
図３はＬＥＤ１３１から視認窓を通して投光される光の範囲Ａと、撮影画角Ｂを示した図である。
【００３２】
前述したようにＡＦ装置１０２の投光部１０２ａからの投光は、遠方領域においては撮影画角の中央にある被写体に向けられていることが多い。したがって視認窓をそのＡＦ装置１０２の受光部１０２ａの上部に設けると、近距離撮影においては図３に示すように撮影画角の中央よりも上に標識が置かれるように視認窓１３０が配置される。さらに自己撮影を行なうときには、その自分の目がＡＦ装置１０２の受光部１０２ａの上部にある視認窓１３０と略平行な位置に置かれることになり、自分の目線で標識を、視認窓１３０を透して視認したときに、自分の顔が撮影画角の上方に、胴体が下方に置かれ、自分の顔が適正な位置に置かれて自己撮影が行なわれる。
【００３３】
このようにＡＦ装置１０２の受光部１０２ｂの上部に視認窓１３０が配置され、撮影画角の中央よりも上の位置に自分の目があるときに標識が見やすいようにすると、撮影画角内にバランスよく自分の顔が配置される。
【００３４】
なお、今までのカメラではＡＦ装置と連携してピントあわせを行なうものもあったが、本実施形態のカメラでは自己撮りモードに設定されている場合にはＡＦ装置１０２は作動しない。本実施形態のカメラにおいては、ＡＦ装置１０２の配設位置が必要であって、ＡＦ装置１０２の上部に設けることで標識が撮影画角の中央より上で視認されるようになっている。同様の効果が得られるものとしては他にファインダの対物窓の上部があり、撮影画角が視認されるファインダの対物窓の上部に設けても視認窓を透して視認される標識の位置は撮影画角の中央よりも上に現れる。
【００３５】
図４（ａ）は撮影レンズ１０１の撮影画角（実線で示した部分）と視認窓１３０で視認される標識の範囲（点線で示した部分）との関係を示した図である。この図４では視認窓１３０の横方向の長さを撮影画角の５０％に相当する長さとした場合の例を示してある。また図４（ｂ）はその視認窓を視認して自己撮影を行なって得られた写真が示されている。なお、図４（ｂ）では自分自身を含めた２人を被写体としている。
【００３６】
図４（ａ）に示すように撮影画角の中央よりも上の位置に被写体の目があるときに標識が見やすいようにＡＦ装置１０２の受光窓１０２ｂの上部に視認窓１３０が配置されている。ここで被写体それぞれの目で視認窓１３０を透して標識が視認され、レリーズ操作が行われると、顔の位置が撮影画角の中央よりも上に、胴体が撮影画角の中央よりも下側にそれぞれ収まり、自分達の姿が適正な位置に置かれて撮影が行なわれる。なお、視認窓１３０は撮影画角の中央よりも上方に位置する訳であるから、視認窓１３０の縦方向の長さは、撮影画角の５０％以下に相当する長さでなければならない。
【００３７】
図４（ａ）に示す視認窓を視認して撮影を行なった結果、図４（ｂ）に示す如く、撮影画角の縦方向については被写体である自分ともう一人の人物がきれいに撮影されているが、横方向については双方の被写体の顔が必要以上に接近した状態で撮影されている。
【００３８】
ここで視認窓の横方向の長さがどの程度であると最適な写真が得られるかを、光軸を含む水平面を示して説明する。
【００３９】
図５はこのカメラ１００が備える撮影レンズ１０１の光軸を含む水平面を示す図である。図５には、焦点距離２４ｍｍの撮影レンズ１０１で自己撮影を行なった場合に被写体がフィルム面にどのように結像されるかが示されている。なおフィルムにはコンパクトカメラ用の１コマ分の横方向の長さＷ３（３６ｍｍ）が示されており、この横方向の長さＷ３内に二人の被写体の像が結像されている。
【００４０】
この図５にはフィルム面の一方の端部に撮影レンズ１０１で結像される被写体面上の位置と、フィルム面の他方の端部に撮影レンズ１０１で結像される被写体面上の位置とがそれぞれ示され、撮影距離を６００ｍｍとしたときの、このカメラの撮影画角が示されている。図５からも分かるようにフィルム１５０の端部までが撮影範囲だとすると、被写体面上に示されるＷ（８６５ｍｍ）の範囲の撮影が可能ではあるが、この例には一回の撮影操作が行われるとその都度カットされるようなフィルムが例として掲げられているため、フィルム面の有効撮影範囲が少し狭くなる。そのカットされる部分をフィルム１７の両端部にそれぞれ１．８ｍｍ（５％）づつあるとすると、被写体面の幅Ｗ１（７７８．５ｍｍ）に相当する範囲が有効撮影範囲になる。
【００４１】
ここで図４に示すようにこの有効撮影範囲Ｗ１の５０％に相当する長さを視認窓の横方向の長さとして持たせて被写体の目で標識を視認させると、二人の人物がきちんと撮影画角内に収まった、図４（ｂ）のような写真が得られる。
【００４２】
しかし図４（ｂ）に示すように視認窓１３０の大きさが有効撮影範囲の５０％に相当するような小さなものであると、二人の人物のうちの一人がその小さい視認窓１３０の一方の端部で自己の位置を確認して、もう一人が同様に小さい視認窓１３０の他方の端部で自己の位置を確認しようとするため、双方の人物が必要以上に近づいてしまい、撮影者達が若干違和感を感じてしまうといったことが起こることも間々在る。そこで視認窓１３０の横方向の長さをもう少し長くして２人の人物が近づき過ぎるといったことを防止すると、こういった違和感が解消される。図４のように必要以上に２人の人物が接近しないようにするには、図５に示した有効撮影範囲Ｗ１（７７８．５ｍｍ）に対して頭の大きさ２００ｍｍ＋２００ｍｍ以上離れるような大きさに相当する長さを視認窓の横方向の長さとして与えてやれば良い。そうすると、被写体の２人が並んでいても２人の被写体の目それぞれ視認窓を透して標識を視認させたとしても双方の顔が必要以上に接近しなくなる。
【００４３】
図６は撮影画角の端部（斜線部）に自分の位置があるときに標識が視認されたときに撮影された写真がどのようになるかが示されている。
【００４４】
図６（ａ）は撮影画角に対して標識が視認される範囲を示した図であり、図６（ｂ）は図６（ａ）に示す範囲で標識が視認されたときに撮影された写真を示す図である。
【００４５】
図６（ａ）に示す範囲で標識が視認されたときには、撮影画角内に係る内側の目では標識が視認されているが、外側の目では標識が視認されないといったことが起こっている。その結果、視認された側の目側だけが撮影画角内に入った写真が得られている。外側の目でも視認されるようにするためには横方向について撮影画角よりも小さな角度内に自分が存在するときに標識が視認されることが必要になる。
【００４６】
前述したように視認窓１３０の横方向の長さをあまり広くしすぎると図６（ｂ）に示すように被写体の顔（外側の目の部分）が欠けてしまうが、図７に示すようにＷ１の５％分だけ内側までが撮影者に視認されるように視認窓の横方向の長さが定められていれば問題はない。このように横方向について視認される範囲が撮影画角の５％分だけ内側になるようにするのは、外側の目でも確実に標識が視認されるようにするためである。
【００４７】
さらには左目が効き目である人が視認窓の左側の端部の標識を視認するときと、右目が効き目である人が視認窓の左側の端部の標識を視認するときでは標識が視認される状況が異なることも在り得る。つまり右目が効き目である人には標識の視認されたにも拘わらず、左目が効き目である人には標識が視認されないといったことも起こり得る。そうすると撮影画角内に自分の顔全体がきちんと撮影される場合と、撮影画角から自分の顔の一部が外れてしまう場合とが、標識を視認する人によって変わるということも起こり得る。そこで撮影画角よりも小さな角度内に自分の顔が存在するときのみ、標識が視認されるように、視認窓の大きさを小さくして、人によって視認窓の中の標識が視認される状況が変わっても撮影者の顔が撮影画角内に必ず入るにようにしている。つまり、撮影画角の９０％に対応する長さを横方向に持たせると、図４（ｂ）のように近づき過ぎるといったことがなくなり、かつ２人の人物の顔の一部が欠けた状態で撮影されるといったことがどのような被写体であってもなくなるのである。
【００４８】
図７は撮影者の姿の一部が欠けてしまう恐れのある範囲（図６参照）を除いて視認窓の横方向の長さを定めた場合の例である。図の点線が視認される範囲を示しており、実線が撮影画角を示している。
【００４９】
二人の人物それぞれが、図７（ａ）に示す横長の大きさを持つ視認窓でそれぞれ自己の位置を確認してから自己撮影を行なうと、視認窓１３０を透して視認される標識が撮影画角よりも小さな角度範囲で確認され、二人の人物それぞれの顔の一部が切れてしまうこともなく、それぞれの顔全体がきれいに撮影される。
【００５０】
また、自己を撮影するときに背景として風景を入れたいときなどは、三脚に固定されたカメラのファインダを覗いて背景のフレーミングを行なった後で、自己撮りモードを設定して自分の顔の位置を、標識を視認して端部に位置させてレリーズ操作をすれば図７（ｂ）のようなきれいな写真が得られる。
【００５１】
以上説明したように本発明のカメラによれば、撮影画角よりも小さな角度範囲で標識が視認されるので、被写体となる自分の顔全体が確実に撮影画角内に入り、ポートレートなどの撮影を行なう場合に自分を適正な位置において撮影が行なわれるようになる。また、標識として機能するＬＥＤと、もともと配備されているＡＦ装置および／又はファインダの上部にＬＥＤを配設するとともに、そのＬＥＤから照射される光を外部に導く位置に穴を開けるだけなので、カメラボディが大型化することもなく、小型で低廉なカメラを提供することができる。
【００５２】
図２では視認窓をＡＦ装置１０２の受光窓１０２ａの上部の位置に貫通穴を設けて構成したが、図８に示すようにＡＦ装置の受光窓と一体的に視認窓も設けて双方の機能を有する窓にアクリル板を嵌挿する構成にしても良い。このアクリル板には窓枠１３０ｃをプリントして、ＬＥＤから被写体側に向けて照射される光路と、ＡＦ装置に光を導く光路とを分けると、カメラ内部への塵などの侵入をも防止することもできるようになる。
【００５３】
【発明の効果】
以上説明したように、本発明のカメラによれば、自分の顔を確実に撮影画角内に収めることができるカメラを提供することできる。
【図面の簡単な説明】
【図１】本実施形態のカメラを示す斜視図である。
【図２】視認窓の構成を示す断面図である。
【図３】標識として使用される発光ダイオードから発光される光の照射分布と、撮影画角を示した図である。
【図４】撮影画角と視認窓で視認される範囲との関係を示した図である。
【図５】撮影レンズの光軸を含む水平面を概念的に示した図である。
【図６】撮影画角と視認窓で視認される範囲を示す図である。
【図７】撮影画角内の視認窓で視認される範囲を示す図である。
【図８】別の実施形態を示す図である。
【符号の説明】
１００　　カメラ
１０１　　撮影レンズ
１０２　　ＡＦ装置
１０３　　ファインダ
１０４　　閃光発光部
１１０ａ　１１０ｂ　レリーズ釦
１２０　　自己撮りモードスイッチ
１３０　　視認窓
１３０ａ　１３０ｂ　　テーパ部
１３１　　ＬＥＤ
【図１】
2004102166.tif 000003
【図２】
2004102166.tif 000004
【図３】
2004102166.tif 000005
【図４】
2004102166.tif 000006
【図５】
2004102166.tif 000007
【図６】
2004102166.tif 000008
【図７】
2004102166.tif 000009
【図８】
2004102166.tif 000010